(57)【要約】      （修正有）【課題】全体の構造が簡素で、生産コストを低減でき、使用利便性の高いスイッチ導通装置を提供する。【解決手段】スイッチ導通装置は、絶縁本体１、第１の導通板２、第２の導通板３及び第３の導通板４を含む。絶縁本体には、２つの挿入接続側１３が形成され、２つの挿入接続側には、複数の仕切板１７が設けられた第１のソケット１４、第２のソケット１５及び第３のソケット１６がそれぞれ形成されている。第１、第２、第３のソケットは各々複数のソケットユニット１４１、１５１、１６１に分割されている。各ソケットユニットには、舌状板１８が形成されている。第１、第２、第３の導通板は、絶縁本体の内部に間隔をおいて設けられ、各導通板の両側は、それぞれ複数の舌状板まで延在されている。【選択図】図３
0003207486.tif 000002
【実用新案登録請求の範囲】
【請求項１】
一体に成形されていると共に第１端及び第２端を有する絶縁本体であって、対向する両側に位置する２つの挿入接続側が形成されており、前記２つの挿入接続側のそれぞれに第１のソケット、第２のソケット及び第３のソケットが形成されており、前記第１のソケット、前記第２のソケット及び前記第３のソケットにそれぞれ間隔をおいて複数の仕切板が設けられており、前記第１のソケット、前記第２のソケット及び前記第３のソケットが複数の第１のソケットユニット、複数の第２のソケットユニット及び複数の第３のソケットユニットに分割されており、各前記第１のソケットユニット、各前記第２のソケットユニット及び各前記第３のソケットユニットにそれぞれ舌状板が形成されている、絶縁本体と、
前記絶縁本体の内部に設けられる第１の導通板と、
前記絶縁本体の内部において前記第１の導通板と間隔をおいて設けられる第２の導通板と、
前記絶縁本体の内部において、前記第２の導通板と間隔をおいて設けられる第３の導通板と、
を含み、
前記第１の導通板、前記第２の導通板及び前記第３の導通板の両側がそれぞれ複数の前記舌状板まで延在されており、前記第１の導通板、前記第２の導通板及び前記第３の導通板の一端が前記絶縁本体の外部まで延在される、
ことを特徴とするスイッチ導通装置。
【請求項２】
複数の前記舌状板は、前記絶縁本体の前記２つの挿入接続側に陥入（凹入）されると共に、前記２つの挿入接続側の内側に位置することを特徴とする請求項１に記載のスイッチ導通装置。
【請求項３】
前記第１の導通板、前記第２の導通板及び前記第３の導通板の両側は、複数の前記舌状板の一端と間隔をおいて設けられており、前記第１の導通板、前記第２の導通板及び前記第３の導通板の両側は、複数の前記舌状板の一端にまで延在されていないことを特徴とする請求項２に記載のスイッチ導通装置。
【請求項４】
前記絶縁本体は、長尺状であり、
前記第１のソケット、前記第２のソケット及び前記第３のソケットは、前記絶縁本体の前記第１端の近傍から前記第２端の近傍まで延在される、
ことを特徴とする請求項１に記載のスイッチ導通装置。
【請求項５】
前記第１のソケット、前記第２のソケット及び前記第３のソケットは、互いに平行であり、
前記第２のソケットは、前記第１のソケットと前記第３のソケットとの間に位置する、
ことを特徴とする請求項４に記載のスイッチ導通装置。
【請求項６】
前記第１の導通板、前記第２の導通板及び前記第３の導通板の一端は、前記絶縁本体の前記第１端の外部まで延在されることを特徴とする請求項１に記載のスイッチ導通装置。
【請求項７】
前記複数の仕切板は、前記第１のソケット、前記第２のソケット及び前記第３のソケットに等間隔をおいて設けられると共に、前記第１のソケット、前記第２のソケット及び前記第３のソケットに位置する前記複数の仕切板は、前記複数の第１のソケットユニット、前記複数の第２のソケットユニット及び前記複数の第３のソケットユニットが整列して配列されるように、上下に位置が揃っていることを特徴とする請求項１に記載のスイッチ導通装置。
【請求項８】
複数の前記舌状板の一端と前記複数の仕切板の一端とが共平面をなすように、複数の前記舌状板の一端が、前記複数の仕切板の一端と面一となっていることを特徴とする請求項１に記載のスイッチ導通装置。
【請求項９】
複数の前記舌状板は、水平状に設けられており、
前記複数の仕切板は、複数の前記舌状板に対して垂直であり、それぞれ複数の前記舌状板の両端に接続される、
ことを特徴とする請求項１に記載のスイッチ導通装置。
【請求項１０】
複数の前記舌状板は、前記複数の第１のソケットユニット、前記複数の第２のソケットユニット及び前記複数の第３のソケットユニットを高さの等しい上下２つの空間に区分けするように、それぞれ前記複数の第１のソケットユニット、前記複数の第２のソケットユニット及び前記複数の第３のソケットユニットの中間位置に配置されることを特徴とする請求項１に記載のスイッチ導通装置。
【考案の詳細な説明】
【技術分野】
【０００１】
本考案は、スイッチ導通装置に関し、特に電気スイッチボックスのスイッチ導通装置に関する。
【背景技術】
【０００２】
電力が普遍的に使用される現代においては、電力使用者ごとに電気スイッチボックスが設けられる必要がある。この電気スイッチボックスには、配電装置が設けられる。一般的に、配電装置は、主として固定板に、外部電源に接続された複数のスイッチ（回路遮断器）が設けられており、それによって外部電源を各種電気回路に供給する。これらスイッチは、給電を管理維持するのに便利であり、短絡や過負荷が生じるとオフになり、回路に過負荷が生じて危険な状態となることを防止することができる。また、これらスイッチは、漏電が生じた瞬間に自動的に電源を遮断することができるため、安全保護の効果を奏する。これらスイッチの配置においては、一般的にメイン回路遮断器によって外部電源と接続すると共に、当該メイン回路遮断器に複数の並列に設けられたサブ回路遮断器が接続される。
【０００３】
しかしながら、従来の電気スイッチボックスにおける複数のスイッチは、固定板に設けることで固定する必要があり、またメイン回路遮断器とサブ回路遮断器との間には電力を伝送するための導線を設ける必要があった。従って、全体の構造が複雑となり、生産製造に不便となり、コストが大幅に増加する問題があった。
【考案の概要】
【考案が解決しようとする課題】
【０００４】
本考案は、全体の構造が簡素で、生産製造に有利となり、コストを低減することができ、使用上の利便性を向上させることができる、スイッチ導通装置を提供することを課題とする。
【課題を解決するための手段】
【０００５】
上述した課題を解決するために、本考案に係るスイッチ導通装置は、絶縁本体を含む。この絶縁本体は、一体に成形されており、第１端及び第２端を有する。絶縁本体には、２つの挿入接続側が形成されている。この２つの挿入接続側は、絶縁本体の対向する両側に位置する。２つの挿入接続側には、それぞれ第１のソケット、第２のソケット及び第３のソケットが形成されている。第１のソケット、第２のソケット及び第３のソケットには、それぞれ複数の仕切板が設けられている。これら仕切板は、第１のソケット、第２のソケット及び第３のソケットに間隔をおいて設けられる。これにより、第１のソケット、第２のソケット及び第３のソケットは、複数の第１のソケットユニット、複数の第２のソケットユニット及び複数の第３のソケットユニットに分割される。各第１のソケットユニット、各第２のソケットユニット及び各第３のソケットユニットには、それぞれ舌状板が形成されている。本考案に係るスイッチ導通装置は、第１の導通板、第２の導通板及び第３の導通板をも含む。この第１の導通板、第２の導通板及び第３の導通板は、絶縁本体の内部に間隔をおいて設けられる。第１の導通板、第２の導通板及び第３の導通板の両側は、それぞれ複数の舌状板まで延在される。第１の導通板、第２の導通板及び第３の導通板の一端は、絶縁本体の外部まで延在される。
【０００６】
好ましくは、複数の舌状板は、絶縁本体の２つの挿入接続側に陥入（凹入）される。複数の舌状板は、２つの挿入接続側の内側に位置する。第１の導通板、第２の導通板及び第３の導通板の両側は、複数の舌状板の一端と間隔をおいて設けられており、第１の導通板、第２の導通板及び第３の導通板の両側は、複数の舌状板の一端まで延在されていない。
【０００７】
好ましくは、複数の舌状板の一端は複数の仕切板の一端と面一となっており、複数の舌状板の一端と複数の仕切板の一端とが共平面をなしている。複数の舌状板は、水平状に設けられている。一方、複数の仕切板は、複数の舌状板に対して垂直であり、複数の舌状板の両端に接続される。
【考案の効果】
【０００８】
本考案に係るスイッチ導通装置は、絶縁本体、第１の導通板、第２の導通板及び第３の導通板を含み、絶縁本体が一体に成形されているため、全体の構造が簡素で、生産製造に有利となり、コストを低減することができる。
【０００９】
本考案に係るスイッチ導通装置は、その両側のいずれにもスイッチ等の装置を挿入接続して取り付けることができるため、使用上の利便性を向上させることができ、また、スイッチ等の装置を直接挿入接続して取り付けることができるため、固定と電気的接続を同時に完了することができ、使用上極めて簡便である。
【００１０】
本考案に係るスイッチ導通装置は、正常な給電状況において、スイッチ等の装置の挿抜を直接行うことができる。即ち、帯電状態でスイッチ等の装置の挿入及び引き抜きを行うことが可能であり、停電時間を別途設ける必要がなく、負荷の増減を素早く、便利に、そして安全に行うことができる。
【００１１】
本考案における舌状板は、絶縁本体の２つの挿入接続側に陥入（凹入）されることができる。これら舌状板は、２つの挿入接続側の内側に位置しており、第１の導通板、第２の導通板及び第３の導通板の両側は、これら舌状板の一端と間隔をおいて設けられ、第１の導通板、第２の導通板及び第３の導通板の両側は、これら舌状板の一端にまで延在されていない。従って、第１の導通板、第２の導通板及び第３の導通板は、絶縁本体の内部に隠蔽されることができる。これにより、第１の導通板、第２の導通板及び第３の導通板が外部に露出されることを回避することができるため、使用上の安全性を向上させることができる。
【図面の簡単な説明】
【００１２】
【図１】本考案に係るスイッチ導通装置を示した斜視図である。
【図２】本考案に係るスイッチ導通装置を示した断面図（１）である。
【図３】本考案に係るスイッチ導通装置を示した断面図（２）である。
【図４】本考案に係るスイッチ導通装置を示した正面図である。
【図５】本考案に係るスイッチ導通装置の使用状態を示した斜視図である。
【考案を実施するための形態】
【００１３】
＜第１の実施例＞
図１乃至図４に示すように、本考案に係るスイッチ導通装置は、電気スイッチボックスのスイッチ導通装置であって、絶縁本体１、第１の導通板２、第２の導通板３及び第３の導通板４を含む。
【００１４】
絶縁本体１は、絶縁樹脂等の材料から成るが、絶縁本体１の材料はこれに限定されない。絶縁本体１は、長尺状であってよく、長方形体であってもよく、これらの形状に限定されない。絶縁本体１は、一体に成形され、第１端１１及び第２端１２を有する。第１端１１及び第２端１２は、絶縁本体１の対向する両端に位置しており、即ち、第１端１１及び第２端１２は、絶縁本体１の長手方向の両端に位置する。
【００１５】
絶縁本体１には、２つの挿入接続側１３が形成されている。２つの挿入接続側１３は、絶縁本体１の対向する両側（図１における手前側及び奥側）に位置する。２つの挿入接続側１３には、スイッチ（例えばサブ回路遮断器）等の装置が挿入接続される。２つの挿入接続側１３には、それぞれ第１のソケット１４、第２のソケット１５及び第３のソケット１６が形成されている。第１のソケット１４、第２のソケット１５及び第３のソケット１６は、絶縁本体１の長手方向に沿って延在される。第１のソケット１４、第２のソケット１５及び第３のソケット１６は、絶縁本体１の第１端１１の近傍から第２端１２の近傍まで延在される。第１のソケット１４、第２のソケット１５及び第３のソケット１６は間隔をおいて設けられる。第１のソケット１４、第２のソケット１５及び第３のソケット１６は、互いに平行である。第２のソケット１５は、第１のソケット１４と第３のソケット１６との間に位置する。
【００１６】
第１のソケット１４、第２のソケット１５及び第３のソケット１６には、それぞれ複数の仕切板１７が設けられている。これら仕切板１７は、第１のソケット１４、第２のソケット１５及び第３のソケット１６に間隔をおいて設けられる。本実施例において、これら仕切板１７は、第１のソケット１４、第２のソケット１５及び第３のソケット１６に等間隔をおいて設けられると共に、第１のソケット１４、第２のソケット１５及び第３のソケット１６に位置する仕切板１７は、上下に位置が揃っており、これにより第１のソケット１４、第２のソケット１５及び第３のソケット１６が複数の第１のソケットユニット１４１、複数の第２のソケットユニット１５１及び複数の第３のソケットユニット１６１に分割され、複数の第１のソケットユニット１４１、複数の第２のソケットユニット１５１及び複数の第３のソケットユニット１６１が整列して配列される。
【００１７】
第１のソケットユニット１４１、第２のソケットユニット１５１及び第３のソケットユニット１６１には、それぞれ舌状板１８が形成されている。舌状板１８は、好ましい強度を有するように、絶縁本体１と一体に成形されて形成されている。これら舌状板１８は、第１のソケットユニット１４１、第２のソケットユニット１５１及び第３のソケットユニット１６１を高さの等しい上下２つの空間に区分けするように、それぞれ第１のソケットユニット１４１、第２のソケットユニット１５１及び第３のソケットユニット１６１の中間位置に配置される。これにより、第１のソケットユニット１４１、第２のソケットユニット１５１及び第３のソケットユニット１６１を、対応する装置を挿入接続して取り付けるのに用いることができる。これら舌状板１８は、水平状に設けられてもよい。即ち、これら舌状板１８は、絶縁本体１の長手方向に対して平行である。一方、上述した複数の仕切板１７は、舌状板１８に対して垂直であり、それぞれ複数の舌状板１８の両端に接続される。これにより、これら仕切板１７と舌状板１８とが好ましい強度を有する。
【００１８】
好ましくは、舌状板１８は、挿入接続側１３に陥入（凹入）されるが、これに限定されない。即ち、舌状板１８は、挿入接続側１３の内側に位置しており、挿入接続側１３と面一にはなっていない。舌状板１８は、挿入接続側１３に陥入（凹入）されており、好ましい保護効果を有し、舌状板１８が外力の衝撃を受けて破損することを回避することができる。これら舌状板１８の一端（外端）は、複数の仕切板１７の一端（外端）と面一となっており、これにより、舌状板１８の一端と仕切板１７の一端とが共平面をなしており、好ましい支持強度を有するように、共同でスイッチ等の装置を支持することができる。
【００１９】
第１の導通板２、第２の導通板３及び第３の導通板４は、導電性が良好な金属材料から成るが、第１の導通板２、第２の導通板３及び第３の導通板４の材料はこれに限定されない。本実施例において、第１の導通板２、第２の導通板３及び第３の導通板４は、いずれも銅板であり、且つ表面には錫層又は銀層等が被覆されてもよい。第１の導通板２、第２の導通板３及び第３の導通板４は、長尺状の板体であってもよい。第１の導通板２、第２の導通板３及び第３の導通板４は、絶縁本体１の内部に間隔をおいて設けられる。即ち、絶縁本体１は、射出成形等の方法により第１の導通板２、第２の導通板３及び第３の導通板４に結合される。
【００２０】
第１の導通板２、第２の導通板３及び第３の導通板４の両側は、それぞれ複数の舌状板１８まで延在される。即ち、第１の導通板２、第２の導通板３及び第３の導通板４は、それぞれ第１のソケットユニット１４１、第２のソケットユニット１５１及び第３のソケットユニット１６１における舌状板１８まで延在される。これにより、第１の導通板２、第２の導通板３及び第３の導通板４の両面が、接続される端子と接触して電気的接続が達成されるように、第１のソケットユニット１４１、第２のソケットユニット１５１及び第３のソケットユニット１６１に露出される。
【００２１】
第１の導通板２、第２の導通板３及び第３の導通板４の両側は、複数の舌状板１８の一端（外端）と間隔をおいて設けられる。即ち、第１の導通板２、第２の導通板３及び第３の導通板４の両側は、複数の舌状板１８の一端（外端）まで延在されていない。第１の導通板２、第２の導通板３及び第３の導通板４の両側は、複数の舌状板１８の一端（外端）と間隔をおいて設けられているため、第１の導通板２、第２の導通板３及び第３の導通板４が外部に露出されることを回避することができる。
【００２２】
第１の導通板２、第２の導通板３及び第３の導通板４の一端は、絶縁本体１の外部まで延在される。即ち、第１の導通板２、第２の導通板３及び第３の導通板４の一端は、絶縁本体１の第１端１１の外部まで延在される。第１の導通板２、第２の導通板３及び第３の導通板４の一端は、外部電源に接続されるように、メイン回路遮断器等の装置に接続される。第１の導通板２、第２の導通板３及び第３の導通板４は、それぞれＲＳＴの三相電源を伝送するのに用いられる。
【００２３】
＜第２の実施例＞
図５に示すように、本考案に係るスイッチ導通装置は、スイッチ５（例えばサブ回路遮断器）等の装置を挿入接続することができる。スイッチ５は、絶縁本体１における対応する第１のソケットユニット１４１、第２のソケットユニット１５１及び第３のソケットユニット１６１に挿入接続される。スイッチ５の３つの端子５１、５２及び５３が、それぞれ対応する舌状板１８を挟持すると共に、第１の導通板２、第２の導通板３及び第３の導通板４と接触することで、電気的導通が達成され、これにより、電力をスイッチ５に伝送することができる。本考案に係るスイッチ導通装置は、例えばＭＩＴＳＵ−ＴＥＣＨ又はその他の規格の電気スイッチボックスに適用されることができる。
【００２４】
本考案に係るスイッチ導通装置は、絶縁本体、第１の導通板、第２の導通板及び第３の導通板を含み、絶縁本体が一体に成形されているため、全体の構造が簡素で、生産製造に有利となり、コストを低減することができる。
【００２５】
本考案に係るスイッチ導通装置は、その両側のいずれにもスイッチ等の装置を挿入接続することができ、使用上の利便性を向上させることができ、また、スイッチ等の装置を直接挿入接続して取り付けることができるため、固定と電気的接続を同時に完了することができ、様々な規格のスイッチに適用することが可能であり、好ましい適用性を有する。
【００２６】
本考案に係るスイッチ導通装置は、正常な給電状況において、スイッチ等の装置の挿抜を直接行うことができる。即ち、帯電状態でスイッチ等の装置の挿入及び引き抜きを行うことが可能であり、停電時間を別途設ける必要がなく、負荷の増減を素早く、便利に、そして安全に行うことができる。
【００２７】
更に、本考案における複数の舌状板は、絶縁本体の２つの挿入接続側に陥入（凹入）されることができる。これら舌状板は、２つの挿入接続側の内側に位置しており、第１の導通板、第２の導通板及び第３の導通板の両側は、これら舌状板の一端と間隔をおいて設けられ、第１の導通板、第２の導通板及び第３の導通板の両側は、これら舌状板の一端にまで延在されていない。従って、第１の導通板、第２の導通板及び第３の導通板は、絶縁本体の内部に隠蔽されることができる。これにより、第１の導通板、第２の導通板及び第３の導通板が外部に露出されることを回避することができるため、使用上の安全性を向上させることができる。
【００２８】
以上は、本考案の好ましい実施例を述べたものに過ぎず、本考案の実用新案登録請求の範囲を限定するものではない。従って、本考案の明細書及び図面の内容を運用することでなされた等価の変更は、いずれも本考案の範囲に含まれる。
【符号の説明】
【００２９】
１  絶縁本体
１１  第１端
１２  第２端
１３  挿入接続側
１４  第１のソケット
１４１  第１のソケットユニット
１５  第２のソケット
１５１  第２のソケットユニット
１６  第３のソケット
１６１  第３のソケットユニット
１７  仕切板
１８  舌状板
２  第１の導通板
３  第２の導通板
４  第３の導通板
５  スイッチ
５１、５２、５３  端子
【図１】
0003207486.tif 000003
【図２】
0003207486.tif 000004
【図３】
0003207486.tif 000005
【図４】
0003207486.tif 000006
【図５】
0003207486.tif 000007